(57)【特許請求の範囲】
【請求項１】
少なくとも、高圧パルスを発生する高圧発生手段と、前記高圧パルスを所定の高圧にして分配する高圧分配手段と、前記高圧分配手段からの高圧がアノードに供給される陰極線管とを備えた陰極線管表示装置において、
前記高圧分配手段からの高圧を前記陰極線管のアノードに供給する高圧供給ラインに、放電電流制限用抵抗を設けたことを特徴とする陰極線管表示装置。
【請求項２】
上記放電電流制限用抵抗は、上記陰極線管内に形成されている内装カーボンの抵抗値より十分大きい抵抗値とされることを特徴とする請求項１に記載の陰極線管表示装置。
【請求項３】
上記高圧分配手段の高圧出力は、３原色信号を形成する３本の陰極線管に供給されることを特徴とする請求項１に記載の陰極線管表示装置。
【発明の詳細な説明】
【０００１】
【発明の属する技術分野】
本発明は、例えばプロジェクタ装置等に用いられる陰極線管表示装置に関わり、特に陰極線管内で異常放電が発生した時に流れる放電電流を低減するのに好適なものである。
【０００２】
【従来の技術】
陰極線管（Cathode Ray Tube：以下、「ＣＲＴ」という）方式の各種テレビジョン受信機やモニタ装置等においては、ＣＲＴ内に設けられている電子銃の構造上、その内部に混入しているゴミ等の異物によって、アノードとカソード（電子銃）との間で異常放電が発生することがある。
このため、従来からＣＲＴ内の異常放電の発生を防止する目的で電子銃の電極形状や、電極の表面研摩方法、電極支持ガラス棒の形状の改良、ノッキングの改善、剥離強度の強い内装コーティング等といった各種改良、開発等が行われている。
【０００３】
また、上記したような各種改良、開発と共に、たとえＣＲＴ内で異常放電が発生したとしても、ＣＲＴ自体や周辺回路が破損しないように、異常放電による放電電流を低減する方法の研究開発も行われている。
【０００４】
ＣＲＴ内で異常放電が発生した時の放電電流の抑制方法としては、例えば電子銃（カソード）の電極に、所要の電圧を供給するステンレスリード線を、数ＫΩのセラミック抵抗に置き換え、カソード側の放電経路を比較的高インピーダンスとなるようにしたＰＣＥ（Peak Current Equalizer）等が知られている。
【０００５】
【発明が解決しようとする課題】
しかしながら、上記したようにＣＲＴのカソード側を比較的高インピーダンスにしても、カソード側に比較的大きな放電電流が流れると、カソード側に設けられている電子銃のカソードやヒータ、或はこれらに接続される回路部品を破損する恐れがあった。
また、ＣＲＴ内で異常音が発生したり、周辺回路が誤動作して、テレビジョン受像機やモニタ装置としての本来の機能を損なう恐れもあった。
【０００６】
特に、赤（Ｒ）、緑（Ｇ）、青（Ｂ）の各色のＣＲＴがそれぞれ設けられているプロジェクタ装置等では、ＲＧＢ何れかのＣＲＴ（例えば（Ｒ）ＣＲＴ）内で異常放電が発生すると、放電が発生した（Ｒ）ＣＲＴにはアノード電圧を供給する高圧ブロックに設けられている高圧コンデンサからの放電電流と、異常放電が発生していない他のＣＲＴのコーティング容量によって生じる放電電流とが加算されて流れ込むことになる。このため、放電が発生した（Ｒ）ＣＲＴ内のカソード側（電子銃）に比較的大きな放電電流が流れ、電子銃のカソードやヒータ、或はこれらに接続される回路部品を破損等の不具合が生じ易いという問題点があった。
【０００７】
本発明は上記したような点を鑑みてなされたものであり、陰極線管内で異常放電が発生しても不具合のない陰極線管表示装置を提供することを目的とする。
【０００８】
【課題を解決するための手段】
上記目的を達成するため、少なくとも、高圧パルスを発生する高圧発生手段と、高圧パルスを所定の高圧にして分配する高圧分配手段と、高圧分配手段からの高圧がアノードに供給される陰極線管とを備えた陰極線管表示装置において、高圧分配手段からの高圧を陰極線管のアノードに供給する高圧供給ラインに、放電電流制限用抵抗を設けるようにした。
【０００９】
そして、放電電流制限用抵抗は、陰極線管内に形成されている内装カーボンの抵抗値より十分大きい抵抗値とした。
また、高圧分配手段の高圧出力は、３原色信号を形成する３本の陰極線管に供給されるようにした。
【００１０】
本発明によれば、高圧分配手段で分配された高圧を陰極線管のアノードに供給する高圧供給ラインに、例えば内装カーボンの抵抗値より十分大きい抵抗値とされる放電電流制限用抵抗を設けることで、異常放電が発生した陰極線管に流れ込む高圧コンデンサからの放電電流を低減することができると共に、異常放電が発生していない陰極線管のコーティング容量からの放電電流を阻止することができる。
【００１１】
【発明の実施の形態】
以下、本発明の陰極線管表示装置の実施の形態について説明する。
図１は、本発明の実施の形態される３管式のプロジェクタ装置等に用いられる陰極線管表示装置の陰極線管及び高圧系ブロックの一例を示した図である。
【００１２】
この図１において、高圧発生器１は、例えばフライバックトランス（ＦＢＴ）によって構成されており、図示しない前段ブロックからのフライバックパルスによって高圧パルスを発生するようにされる。
高圧分配器２は、高圧発生器１からの高圧パルスを平滑することによって得られる所定のアノード電圧を、各色ごとに設けられている陰極線管（以下、「ＣＲＴ」という）３Ｒ，３Ｇ，３Ｂに分配して供給するようにされる。
さらに、本実施の形態においてはこの高圧分配器２からＣＲＴ３Ｒ，３Ｇ，３Ｂに対してアノード電圧（高圧）を供給する高圧供給ラインに、本発明の特徴である放電電流制限用抵抗を設けるようにしている。なお、その詳細について後述する。
【００１３】
ＣＲＴ３は、映像信号によって制御された電子銃からの電子ビームによって各ＣＲＴ３Ｒ，３Ｇ，３Ｂの内面にそれぞれ塗布されている蛍光体を発光させて、スクリーン上にカラー画像を表示するようにされる。
【００１４】
図２は、上記ＣＲＴ３の構造を示した図であり、この図２に示すようにＣＲＴ３は、例えばじょうご形のガラスの外管（ガラスパイプ）４の中に、電子銃５や蛍光面（図示しない）が封入されている。外管４は膨らんでいるコーン部４ａと、細い円筒状のネック部４ｂとからなり、コーン部４ａの底に蛍光体を塗布して高真空に排気することで構成される。
【００１５】
ネック部４ｂに設けられている電子銃５は、電子を放射するカソードと、カソードから放射された電子の加速や集束を制御する複数の電極が形成されている。この電子銃５に形成されている複数の電極のうち、例えば最終電極とされる第５グリッド（電極）Ｇ５は、外管４の内面に形成されている内装カーボン６の一端と接続されている。また、内装カーボン６の他端はアノード電圧ＨＶが供給されるアノードボタン７と接続されている。
【００１６】
電子銃５のベースピン５ａは外管４から引き出され、例えば電子銃５を制御するための各種回路が形成されている基板８に接続されている。
外管４の外面には、グランドと接続された外装カーボン９が取り付けられている。
また、内装カーボン６と外装カーボン９との間には、コーティング容量ＣCRT が生じている。
【００１７】
このようなＣＲＴ３において、異常放電が発生した場合は、異常放電によって流れる放電電流Ｉが、例えば破線で示したような経路（第５グリッドＧ５→電子銃５→外装カーボン９）で流れることになる。よって、放電電流Ｉはアノード電圧ＨＶが供給されるアノードボタン７と第５グリッドＧ５との間の内装カーボン６の抵抗値によって決定される。
【００１８】
ここで、内装カーボン６の抵抗値をｒ、アノード電圧をＨＶとすれば、放電電流Ｉは、
【数１】
0003834990.tif 000002
となる。
【００１９】
従って、内装カーボン６の抵抗値ｒを大きくすればするほど、放電電流Ｉを低減することができるが、実際には内装カーボン６の抵抗値ｒは数百Ωが限界とされているため、内装カーボン６の抵抗値ｒを大きくして放電電流Ｉを低減することはできない。
【００２０】
そこで、本発明においては、異常放電時に発生する放電電流を低減するための放電電流制限用抵抗を高圧分配器２の高圧供給ラインに設けるようにした。
図３は、図１に示した本実施の形態とされるＣＲＴ表示装置のＣＲＴと高圧系ブロックの構成を具体的に示した図である。
この図３おいて、電圧発生器１はフライバックトランスＦＢＴの一次側高圧巻線に端子ｔ11，ｔ12からフライバックパルスを供給することによって、二次側昇圧巻線と接続されたダイオードＤ1 ，Ｄ2 、及び抵抗Ｒ11を介して端子ｔ13，ｔ14との間に高圧パルスを発生するようにされる。
【００２１】
この高圧パルスは、端子ｔ21を介して高圧分配器２の高圧コンデンサＣ0 に供給され、この高圧コンデンサＣ0 によって所定のアノード電圧ＨＶに平滑されて、本発明とされる放電電流制限用抵抗Ｒ1 ，Ｒ2 ，Ｒ3 を介して端子ｔ25，ｔ24，ｔ23に接続された各ＣＲＴ３Ｒ，３Ｇ、３Ｂのアノードに供給される。
なお、高圧コンデンサＣ0 には電流制限用抵抗Ｒ4 が直列に接続されている。
【００２２】
次に、本実施の形態とされるＣＲＴ表示装置において異常放電が発生した時に流れる放電電流について説明する。
本実施の形態とされるＣＲＴ表示装置の異常放電時に流れる放電電流を説明する前に、先ず、図１０を参照しながら従来のＣＲＴ表示装置の異常放電時に流れる放電電流について説明する。
【００２３】
図１０は、従来のＣＲＴ表示装置において発生する放電電流を説明するための図である。
この図１０において、高圧分配器１００には、高圧コンデンサＣ0 と電流制限用抵抗Ｒ4 とが直列に接続されている。
また、各ＣＲＴ３Ｒ，３Ｇ，３Ｂには、内装カーボン６と外装カーボン９との間のコーティング容量がそれぞれＣR ，ＣG ，ＣB 、内装カーボン６の抵抗をｒ1 ，ｒ2 ，ｒ3 として示されている。
スイッチＳR ，ＳG ，ＳB は、各ＣＲＴ３Ｒ，３Ｇ，３Ｂの異常放電の有無を便宜的に示したものであり、従ってこの例ではスイッチがオンとなっているＣＲＴ３Ｒにおいて放電が発生しているものとされる。
【００２４】
この図１０に示すようにＣＲＴ３Ｒで異常放電が発生すると、ＣＲＴ３Ｒ内を流れる放電電流Ｉは、高圧コンデンサＣ0 からの放電電流Ｉ0 とＣＲＴ３Ｒのコーティング容量ＣR からの放電電流ＩR 、及びＣＲＴ３Ｇ，３Ｂのコーティング容量ＣG ，ＣB から高圧分配器２を介して回り込んでくる放電電流ＩG 、ＩB を加算した電流となる。
【００２５】
つまり、放電電流Ｉは、
【数２】
0003834990.tif 000003
となる。
【００２６】
ここで、各ＣＲＴ３Ｒ，３Ｇ，３Ｂのコーティング容量ＣR ，ＣG ，ＣB を同じと仮定すると、各コーティング容量ＣR ，ＣG ，ＣB からの放電電流ＩR 、ＩG 、ＩB は等しくなるため、ＣＲＴ３Ｒを流れる放電電流Ｉは、
【数３】
0003834990.tif 000004
と表されることになる。
【００２７】
次に、本実施の形態とされるＣＲＴ表示装置において発生する放電電流について説明する。
図４は、本実施の形態とされるＣＲＴ表示装置において発生する放電電流を説明するための図である。なお、図１０と同一部品には同一符号を付し、その説明は省略する。
この図４に示すように、本実施の形態とされるＣＲＴ表示装置においては、高圧分配器２には、各ＣＲＴ３Ｒ，３Ｇ，３Ｂにアノード電圧を供給する供給ラインに本発明の特徴である放電電流制限用抵抗Ｒ1 ，Ｒ2 ，Ｒ3 がそれぞれ設けられている。
【００２８】
この場合においても、ＣＲＴ３Ｒで異常放電が発生すると、ＣＲＴ３Ｒ内を流れる放電電流Ｉ’は、高圧コンデンサＣ0 からの放電電流Ｉ0 ’と、ＣＲＴ３Ｒのコーティング容量ＣR からの放電電流ＩR ’、及びＣＲＴ３Ｇ，３Ｂのコーティング容量ＣG ，ＣB から高圧分配器２を介して回り込んでくる放電電流ＩG ’、ＩB ’を加算した電流となる。
【００２９】
従って、ＣＲＴ３Ｒを流れる放電電流Ｉ’は、
【数４】
0003834990.tif 000005
と示すことができる。
【００３０】
ここで、上記図１０に示した従来の高圧分配器１００のＡ点の電位をＨＶ、電流制限用抵抗Ｒ4 の抵抗値をＲ、内装カーボン抵抗６の抵抗値をｒとすると、高圧コンデンサＣ0 から流れる放電電流Ｉ0 は、
【数５】
0003834990.tif 000006
となる。
【００３１】
また、同様に図４に示す本実施の形態とされる高圧分配器２のＡ点の電位をＨＶ、放電電流制限用抵抗Ｒ1 ，Ｒ2 ，Ｒ3 、及び電流制限用抵抗Ｒ4 の抵抗値を同一値Ｒ、内装カーボン抵抗６の抵抗値をｒとして、高圧コンデンサＣ0 から流れる放電電流Ｉ0 ’を求めると、
【数６】
0003834990.tif 000007
となる。
【００３２】
よって、（式５）、（式６）より、放電電流Ｉ0 ’は、
【数７】
0003834990.tif 000008
と表すことができる。
【００３３】
同様に考えて、
ＣＲＴ３Ｇ，３Ｂのコーティング容量ＣG ，ＣB からの放電電流ＩG ’，ＩB ’を求めると、
【数８】
0003834990.tif 000009
となる。
また、ＣＲＴ３Ｒのコーティング容量ＣR からの放電電流ＩR ’は、
【数９】
0003834990.tif 000010
となる。
【００３４】
従って、上記（式４）、及び（式７）、（式８）、（式９）から、本実施の形態とされるＣＲＴ表示装置のＣＲＴ３Ｒで異常放電が発生した時に流れる放電電流Ｉ’は、
【数１０】
0003834990.tif 000011
と示すことができる。
【００３５】
ここで、Ｒ≫ｒであれば、放電電流Ｉ’は、
【数１１】
0003834990.tif 000012
となる。
【００３６】
即ち、本実施の形態とされるＣＲＴ表示装置においては、高圧分配器２から各ＣＲＴ３Ｒ，３Ｇ，３Ｂにアノード電圧を供給する供給ラインに、内装カーボン６の抵抗値ｒより十分大きい抵抗値Ｒとされる放電電流制限用抵抗Ｒ1 ，Ｒ2 ，Ｒ3 を設けることで、例えばＣＲＴ３Ｒで異常放電が発生した時に高圧コンデンサＣ0 から流れる放電電流Ｉ0 ’を、従来の１／２に減少させることができる。
【００３７】
また、各ＣＲＴのコーティング容量から流れる放電電流は、コーティング容量ＣG ，ＣB からの放電電流ＩG ’，ＩB ’の回り込みが抑制され、コーティング容量ＣR からの放電電流ＩR ’のみとなるため、従来の１／３に減少させることができる。
【００３８】
図５は、本実施の形態とされるＣＲＴ表示装置の高圧分配器２の具体的な回路構成を示した図である。
この図５に示す端子ｔ21は、高圧発生器１から高圧パルスが供給され、この高圧パルスが高圧コンデンサＣ0 によって平滑されて本発明の特徴である放電電流制限用抵抗Ｒ1 ，Ｒ2 ，Ｒ3 を介して端子ｔ25，ｔ24，ｔ23から各ＣＲＴ３Ｒ，３Ｇ，３Ｂのアノードに供給される。
また、端子ｔ28は、高圧値の確認のためのチェック端子であり、端子ｔ26は高圧ＨＶを抵抗ＨＶＲで分割して高圧値を検出する検出端子である。なお、端子ｔ27，ｔ22はグランド端子である。
【００３９】
このように電圧分配器２に放電電流制限用抵抗Ｒ1 ，Ｒ2 ，Ｒ3 を設けることで、本実施の形態とされるＣＲＴ表示装置は容易に構成することが可能とされ、また上記したように放電電流制限用抵抗Ｒ1 ，Ｒ2 ，Ｒ3 を同一の抵抗値Ｒとすると、ＣＲＴ３の偏向感度は高圧値の二乗に比例する特性を有しているので、各ＣＲＴ３Ｒ，３Ｇ，３Ｂの偏向感度のバラツキを抑えることができる。
また、電流制限用抵抗Ｒ4 と、放電電流制限用抵抗Ｒ1 ，Ｒ2 ，Ｒ3 と同一の抵抗値Ｒとすると、組立工程において抵抗値を選別する必要がないので作業性を向上させることができるという効果もある。
【００４０】
また、チェック端子ｔ28と、検出端子ｔ26とを同電位にして両端に配置することで高圧リードの誤挿入を防止することができる。
【００４１】
次に、本発明の他の実施の形態とされるＣＲＴ表示装置について説明する。
図６は、本発明の他の実施の形態とされるＣＲＴ表示装置のＣＲＴと高圧系ブロックの構成を具体的に示した図である。なお、図３と同一部品には同一番号を付し、その説明は省略する。
【００４２】
この場合も、電圧発生器１のフライバックトランスＦＢＴの一次側高圧巻線に端子ｔ11，ｔ12からフライバックパルスルを供給することによって、二次側昇圧巻線と接続されたダイオードＤ1 ，Ｄ2 、及び抵抗Ｒ11を介して端子ｔ13，ｔ14との間に高圧パルスを発生するようにされる。
【００４３】
この高圧パルスは端子ｔ21を介して高圧分配器２０の高圧コンデンサＣ0 に供給され、高圧コンデンサＣ0 によって所定のアノード電圧ＨＶに平滑されて本発明とされる放電電流制限用抵抗Ｒ1 ，Ｒ2 ，Ｒ3 を介して各ＣＲＴ３Ｒ，３Ｇ、３Ｂのアノードに供給される。但し、この場合は、上記図３に示した電流制限用抵抗Ｒ4 を設けないような構成としている。
【００４４】
図７は、本発明の他の実施の形態とされるＣＲＴ表示装置において発生する放電電流を説明するための図である。なお、図４と同一部品には同一符号を付し、その説明は省略する。
【００４５】
この場合も、ＣＲＴ３Ｒで異常放電が発生するとＣＲＴ３Ｒ内を流れる放電電流Ｉ”は、高圧コンデンサＣ0 からの放電電流Ｉ0 ”とＣＲＴ３Ｒのコーティング容量ＣR からの放電電流ＩR ”、及びＣＲＴ３Ｇ，３Ｂのコーティング容量ＣG ，ＣB から高圧分配器２０を介して回り込んでくる放電電流ＩG ”，ＩB ”を加算した電流となる。
【００４６】
ところが、この場合は電流制限用抵抗Ｒ4 を設けていないため、高圧コンデンサＣ0 からの放電電流Ｉ0 ”は、従来の放電電流Ｉ0 と同様になり、コーティング容量ＣG ，ＣB から流れる放電電流ＩG ”，ＩB ”だけが抑制されることになる。
【００４７】
つまり、ＣＲＴ３Ｒ内を流れる放電電流Ｉ”は、
【数１２】
0003834990.tif 000013
となる。
【００４８】
即ち、上記図７に示した本発明の他の実施の形態とされるＣＲＴ表示装置では、ＣＲＴ３Ｒで異常放電が発生した時に流れる放電電流Ｉ”は、ＣＲＴのコーティング容量から流れ込む放電電流を、従来の１／３に減少させるようにしている。
【００４９】
このような本発明の他の実施の形態では、放電電流制限用抵抗Ｒ1 ，Ｒ2 ，Ｒ3 を設け、この放電電流制限用抵抗Ｒ1 ，Ｒ2 ，Ｒ3 で電流制限用抵抗Ｒ4 を代用することで電流制限用抵抗Ｒ4 を削除するようにしている。この結果、一般的に高価でスペースを必要とする耐圧パルス抵抗の部品点数を減らすことができ、スペースの確保、コストダウン、及び信頼性の向上を実現することができる。
【００５０】
また、高圧コンデンサＣ0 を直接グランドに接地しているので、積分効果が高められ、例えばＣＲＴの管面に高輝度の横線が生じる映像画面の時に、明るい横線部分の下部の縦線が波打つように乱れる現象、いわゆるバー後振動等を改善することができるという効果もある。
【００５１】
なお、高圧コンデンサＣ0 からの放電電流Ｉ0 ”を上記図４において説明したように、従来の１／２にしたい場合は、放電電流制限用抵抗Ｒ1 ，Ｒ2 ，Ｒ3 の抵抗値を２倍にすれば良い。
【００５２】
ところで、上記図７に示したような本発明の他の実施の形態においては、高圧コンデンサＣ0 の充電時には放電電流制限用抵抗Ｒ1 〜Ｒ3 が高圧コンデンサＣ0 の電流制限用抵抗として作用することになるが、充電時には高圧分配器２０の電流制限用抵抗がなくなったように見える。
【００５３】
しかしながら、充電時には図８に示すように高圧発生器１のフライバックトランスＦＢＴよりエネルギが供給されるので、フライバックトランスＦＢＴの抵抗成分ＲFBT が電流制限用抵抗として作用することになり、充放電時に高圧コンデンサＣ0 を流れる電流を上記図４に示した場合とほぼ同じに制限することができる。
【００５４】
図９は、本発明の他の実施の形態とされる高圧分配器２０の具体的な回路構成を示した図であり、この場合も上記図５と同様に端子ｔ21を介して高圧発生器１から高圧パルスが供給され、放電電流制限用抵抗Ｒ1 ，Ｒ2 ，Ｒ3 を介して端子ｔ25，ｔ24，ｔ23から各ＣＲＴ３Ｒ，３Ｇ，３Ｂにアノード電圧が供給されることになる。
【００５５】
なお、本実施の形態においては、プロジェクタ装置等に用いられる陰極線管表示装置として説明したが、これに限定されるものでなく、通常のテレビジョン受像機やモニタ装置の陰極線管表示装置として適用することができる。
【００５６】
【発明の効果】
以上、説明したように本発明の陰極線管表示装置によれば、高圧分配手段で分配された高圧を陰極線管のアノードに供給する高圧供給ラインに対して、例えば内装カーボンの抵抗値より十分大きい抵抗値とされる放電電流制限用抵抗を設けることで、異常放電が発生した陰極線管に流れ込む放電電流を低減することができるため、電子銃の周辺回路部品を放電破壊から保護できると共に、放電時の放電音や周辺回路の誤動作等を防止することができる。
【００５７】
特に、３本の陰極線管からなるプロジェクタ装置に適用した場合は、放電が発生していない陰極線管のコーティング容量から異常放電が発生した陰極線管に流れ込む放電電流をほとんど阻止することができるため、より効果がある。
【図面の簡単な説明】
【図１】本発明の陰極線管表示装置の実施の形態として、陰極線管と高電圧回路系ブロックの一例を示した図である。
【図２】ＣＲＴの構造を説明するための図である。
【図３】本実施の形態とされる陰極線管と高電圧回路系ブロックの構成を具体的に示した図である。
【図４】本実施の形態とされる陰極線管表示装置の陰極線管に流れる放電電流を説明するための図である。
【図５】本実施の形態とされる高圧分配器の構成を具体的に示した図である。
【図６】本発明の他の実施の形態とされる陰極線管と高電圧回路系ブロックの構成を具体的に示した図である。
【図７】他の実施の形態とされる陰極線管表示装置の陰極線管に流れる放電電流を説明するための図である。
【図８】他の実施の形態とされる陰極線管表示装置の充電時の動作を説明するための図である。
【図９】他の本実施の形態とされる高圧分配器の構成を具体的に示した図である。
【図１０】他の本実施の形態とされる高圧分配器の構成を具体的に示した図である。
【符号の説明】
１  高圧発生器、２  高圧分配器、３  陰極線管、４  外管、５  電子銃、６内装カーボン、７  アノードボタン、８  基板、９  外装カーボン、Ｒ  電流制限用抵抗、Ｃ0 高圧コンデンサ、ＣR ＣG ＣB   コーティング容量、
【図１】
0003834990.tif 000014
【図２】
0003834990.tif 000015
【図３】
0003834990.tif 000016
【図４】
0003834990.tif 000017
【図５】
0003834990.tif 000018
【図６】
0003834990.tif 000019
【図７】
0003834990.tif 000020
【図８】
0003834990.tif 000021
【図９】
0003834990.tif 000022
【図１０】
0003834990.tif 000023